(57)【要約】      （修正有）【課題】エレベータ走行に伴ってロープ固定部材の部分で発生する風切り音を低減する。【解決手段】ロープ固定部材１６は、複数個のロープガイド穴１６ａを有すると共にこれらのロープガイド穴を径方向に横断する直線に沿って複数個の部分１６ｂに分割された柔軟なロープ接触部１６を備えている。このロープ接触部１６の外側には一対の剛性の高いフレーム２１が配置されている。これらのフレーム２１とロープ接触部１６はボルト１７及びナット１８により一体化された状態に固定されている。【選択図】図１
2006306556.tif 000002
【特許請求の範囲】
【請求項１】
エレベータに用いられる複数本のメインロープやコンペンロープの端部にそれぞれ同軸状に取り付けられたロッド状の締結部材の近傍に設けられ、これらの締結部材を平行に保つため、又は前記複数本のメインロープやコンペンロープがシーブに導入される際にこれらのロープを平行に保つために設置されるエレベータ用ロープ固定部材であって、
複数個のロープガイド穴を有すると共にこれらのロープガイド穴を径方向に横断する線に沿って複数個の部分に分割された柔軟なロープ接触部と、このロープ接触部の外側に配置された剛性の高いフレームと、このフレームと前記ロープ接触部とを一体化された状態に固定する固定手段とを備えたことを特徴とするエレベータ用ロープ固定部材。
【請求項２】
エレベータに用いられる複数本のメインロープやコンペンロープの端部にそれぞれ同軸状に取り付けられたロッド状の締結部材の近傍に設けられ、これらの締結部材を平行に保つため、又は前記複数本のメインロープやコンペンロープがシーブに導入される際にこれらのロープを平行に保つために設置されるエレベータ用ロープ固定部材であって、
エレベータの走行によって一方向に移動する際に空気が当たる側を、その一方向に向かって連続的に縮小した凸形状としたことを特徴とするエレベータ用ロープ固定部材。
【請求項３】
エレベータに用いられる複数本のメインロープやコンペンロープの端部にそれぞれ同軸状に取り付けられたロッド状の締結部材の近傍に設けられ、これらの締結部材を平行に保つため、及び前記複数本のメインロープやコンペンロープがシーブに導入される際にこれらのロープを平行に保つために設置されるエレベータ用ロープ固定部材であって、
前記複数の締結部材を平行に保つための第１のロープ固定部と、この第１のロープ固定部に対してエレベータ走行方向に間隔をおいて配置され、前記複数本のメインロープやコンペンロープがシーブに導入される際にこれらのロープを平行に保つための第２のロープ固定部と、前記第１のロープ固定部と前記第２のロープ固定部の間に設けられ、前記第１のロープ固定部の周囲と前記第２のロープ固定部の周囲の間に延びる平坦な側面を有する筒状のカバーとを備えたことを特徴とするエレベータ用ロープ固定部材。
【請求項４】
エレベータに用いられる複数本のメインロープやコンペンロープの端部にそれぞれ同軸状に取り付けられたロッド状の締結部材の近傍に設けられ、これらの締結部材を平行に保つため、及び前記複数本のメインロープやコンペンロープがシーブに導入される際にこれらのロープを平行に保つために設置されるエレベータ用ロープ固定部材であって、
エレベータ走行方向の一端側に設けられ、前記複数個の締結部材を平行に保つための第１のロープ固定部と、エレベータ走行方向の他端側に設けられ、前記複数本のメインロープやコンペンロープを平行に保つための第２のロープ固定部と、前記第１のロープ固定部と前記第２のロープ固定部の間に設けられ、前記第１のロープ固定部材の周囲と前記第２のロープ固定部材の周囲の間に延びる平坦な側面を有する整流部とを備えたことを特徴とするエレベータ用ロープ固定部材。
【請求項５】
エレベータに用いられる複数本のメインロープやコンペンロープの端部にそれぞれ同軸状に取り付けられたロッド状の締結部材の近傍に設けられ、これら締結部材を平行に保つため、又は前記複数本のメインロープやコンペンロープがシーブに導入される際にこれらのロープを平行に保つために設置されるエレベータ用ロープ固定部材であって、
複数個のロープガイド穴を有すると共にこれらのロープガイド穴を径方向に横断する線に沿って一対の部分に分割された柔軟なロープ接触部と、前記一対の部分の一端側に設けられ、前記一対の部分を前記ロープガイド穴の径方向に回動自在に連結する連結手段と、前記一対の部分の他端側に設けられ、前記一対の部分を一体化された状態に固定する固定手段とを備えたことを特徴とするエレベータ用ロープ固定部材。
【請求項６】
エレベータに用いられる複数本のメインロープやコンペンロープの端部にそれぞれ同軸状に取り付けられたロッド状の締結部材の近傍に設けられ、これらの締結部材を平行に保つため、又は前記複数本のメインロープやコンペンロープがシーブに導入される際にこれらのロープを平行に保つために設置されるエレベータ用ロープ固定部材を前記締結部材に対して所定位置に位置決めする方法であって、
前記締結部材に紐状部材を取り付け、この紐状部材を介して前記エレベータ用ロープ固定部材を吊り下げ支持することを特徴とするエレベータ用ロープ固定部材の位置決め方法。
【発明の詳細な説明】
【技術分野】
【０００１】
本発明は、エレベータに用いられる複数本のメインロープやコンペンロープの端部にそれぞれ同軸状に取り付けられたロッド状の締結部材の近傍に設けられ、これら締結部材を平行に保つため、又は複数本のメインロープやコンペンロープがシーブに導入される際にこれらのロープを平行に保つために設置されるエレベータ用ロープ固定部材及びその位置決め方法に関する。
【背景技術】
【０００２】
図１３は、一般的なエレベータの全体構成を概略的に示す図である。昇降路１の上部の機械室２には巻上機（図示せず）が設置されており、この巻上機のメインシーブ３に吊り下げられたメインロープ４の一端には乗りかご５が懸架されている。一方、メインロープ４の他端には釣り合いおもり６が懸架されている。
【０００３】
また、乗りかご５及び釣り合いおもり６の下側には、昇降路１下部に設けられたコンペンシーブ７を介してコンペンロープ８が取り付けられている。このコンペンシーブ７及びコンペンロープ８は、乗りかご５と釣り合いおもりに作用するメインロープ４の重量が乗りかご５の位置によって変化するため、この重量変化を打ち消すために設けられている。
【０００４】
図１４は図１３のＸ部の拡大図であり、図１５はその側面図である。また、図１６は図１５のＹ−Ｙ線矢視図、図１７は図１５のＺ−Ｚ線矢視図である。
【０００５】
図１４、図１５に示すように、メインロープ４やコンペンロープ８（以下、ロープと称する）の端部はシャックルロッド９のソケット部９ａに同軸状に合金締結固定されている（ストランドをばらして溶融した鉛で固定。後ろ側のシャックルロッド９の一部については図示を省略）。そのシャックルロッド９が、エレベータのかご枠１０等に取り付けられた上下一対のヒッチ板１１、１２に形成された貫通孔（図示せず）を貫通した状態で、防振ゴム１３等の弾性体を介してヒッチ板１１に弾性支持されている。
【０００６】
シャックルロッド９から少し下方に離れた位置に、乗りかご５が昇降する際のロープの揺れによってシャックルロッド９同士が接触することや、ヒッチ板１１、１２の貫通孔とシャックルロッド９とが接触することによる異常音・振動の発生防止のため、シャックルロッド９を鉛直にすることを目的として、ロープ固定部材１４が設置されている。
【０００７】
また、コンペンロープ８側には、乗りかご５の最下階停止時にコンペンロープ８の乗りかご５への取付部とコンペンシーブ７とが非常に接近するため、コンペンシーブ７外周部の複数の溝の間隔と同じ間隔で複数本のコンペンロープ８を案内するために、ロープ固定部材１４の下方にロープ固定部材１５が設置されている。
【０００８】
図１６、図１７に示すように、これらロープ固定部材１４、１５は、ロープ８が通る部位にロープガイド穴１６ａが形成されたロープ接触部１６を有している。このロープ接触部１６は、ロープガイド穴１６ａを径方向に横断する直線Ｌに沿って複数個の部分１６ｂに分割されている。これらの部分１６ｂをロープ８を径方向に挟み込むように組み合わせることで、各ロープガイド穴１６ａにロープ８が挿通された状態にすることができる。そして、その状態で複数本のボルト１７及び複数個のナット１８により各部分１６ｂを一体化された状態に締結固定する。
【０００９】
ロープ８が挿通されるロープガイド穴１６ａは、ロープ８の長手方向の移動を妨げないように、ロープ８の直径よりもやや大きい穴径となっている。ロープ接触部１６の材質は、ロープ８が擦れたりするので、ロープ８を傷めないように柔軟な材料（一般的には木材等）が用いられている。なお、ロープ固定部材１４、１５の上下方向の取り付け位置は、図１４、図１５に示す如く、ロープ８におけるロープ固定部材１５の下側の部位の一箇所にＵ字状のクリップ１９を取り付けることにより行っている。
【発明の開示】
【発明が解決しようとする課題】
【００１０】
建物の高層化に伴ってエレベータが超高速化してくると、狭い昇降路内を走行するときの風切り音が問題となってくる。この風切り音の低減のためには、空気抵抗を減らしたり、空気の流れをスムーズにしたりする必要がある。
【００１１】
また、上述したロープ固定部材では、ロープの向きを変えているので、建物の高層化によるロープ等の吊り下げ質量の増加は、ロープ固定部材への作用荷重を増加させる傾向にある。
【００１２】
上述したロープ固定部材においては、ロープを傷めないようにするために柔軟な材質を使用しているので、強度的な問題でサイズを小さくすることができず、空気抵抗を減らすことができなかった。
【００１３】
また、上述したように、コンペンロープ側においては、コンペンシーブへの挿入をガイドするためのロープ固定部材も必要であるため、二つのロープ固定部材の間で空気の流通経路に凹凸が生じて空気の流れを乱す原因になっていた。
【００１４】
また、上述した従来のロープ固定部材の位置固定方法では、ロープ径が大きくなると、ロープ固定部材の位置を固定するために用いているＵ字状のクリップが大きくなるため、ロープ間の間隔を小さくすることができず、そのためにロープ固定部材が大きくなってしまい、空気抵抗の増大を招いていた。
【００１５】
本発明は、上記従来の問題点を解決し、エレベータ走行に伴ってロープ固定部材の部分で発生する風切り音を低減することができるロープ固定部材を提供することを目的としてなされたものである。
【課題を解決するための手段】
【００１６】
上記目的を達成するために、第１の発明は、エレベータに用いられる複数本のメインロープやコンペンロープの端部にそれぞれ同軸状に取り付けられたロッド状の締結部材の近傍に設けられ、これらの締結部材を平行に保つため、又は複数本のメインロープやコンペンロープがシーブに導入される際にこれらのロープを平行に保つために設置されるエレベータ用ロープ固定部材であって、複数個のロープガイド穴を有すると共にこれらのロープガイド穴を径方向に横断する線に沿って複数個の部分に分割された柔軟なロープ接触部と、このロープ接触部の外側に配置された剛性の高いフレームと、このフレームとロープ接触部とを一体化された状態に固定する固定手段とを備えたことを特徴としている。
【００１７】
また、第２の発明は、エレベータに用いられる複数本のメインロープやコンペンロープの端部にそれぞれ同軸状に取り付けられたロッド状の締結部材の近傍に設けられ、これらの締結部材を平行に保つため、又は複数本のメインロープやコンペンロープがシーブに導入される際にこれらのロープを平行に保つために設置されるエレベータ用ロープ固定部材であって、エレベータの走行によって一方向に移動する際に空気が当たる側を、その一方向に向かって連続的に縮小した凸形状としたことを特徴としている。
【００１８】
また、第３の発明は、エレベータに用いられる複数本のメインロープやコンペンロープの端部にそれぞれ同軸状に取り付けられたロッド状の締結部材の近傍に設けられ、これらの締結部材を平行に保つため、及び複数本のメインロープやコンペンロープがシーブに導入される際にこれらのロープを平行に保つために設置されるエレベータ用ロープ固定部材であって、複数の締結部材を平行に保つための第１のロープ固定部と、この第１のロープ固定部に対してエレベータ走行方向に間隔をおいて配置され、複数本のメインロープやコンペンロープがシーブに導入される際にこれらのロープを平行に保つための第２のロープ固定部と、第１のロープ固定部と第２のロープ固定部の間に設けられ、第１のロープ固定部の周囲と第２のロープ固定部の周囲の間に延びる平坦な側面を有する筒状のカバーとを備えたことを特徴としている。
【００１９】
また、第４の発明は、エレベータに用いられる複数本のメインロープやコンペンロープの端部にそれぞれ同軸状に取り付けられたロッド状の締結部材の近傍に設けられ、これらの締結部材を平行に保つため、及び複数本のメインロープやコンペンロープがシーブに導入される際にこれらのロープを平行に保つために設置されるエレベータ用ロープ固定部材であって、エレベータ走行方向の一端側に設けられ、複数個の締結部材を平行に保つための第１のロープ固定部と、エレベータ走行方向の他端側に設けられ、複数本のメインロープやコンペンロープを平行に保つための第２のロープ固定部と、第１のロープ固定部と第２のロープ固定部の間に設けられ、第１のロープ固定部材の周囲と第２のロープ固定部材の周囲の間に延びる平坦な側面を有する整流部とを備えたことを特徴とをしている。
【００２０】
また、第５の発明は、エレベータに用いられる複数本のメインロープやコンペンロープの端部にそれぞれ同軸状に取り付けられたロッド状の締結部材の近傍に設けられ、これら締結部材を平行に保つため、又は複数本のメインロープやコンペンロープがシーブに導入される際にこれらのロープを平行に保つために設置されるエレベータ用ロープ固定部材であって、複数個のロープガイド穴を有すると共にこれらのロープガイド穴を径方向に横断する線に沿って一対の部分に分割された柔軟なロープ接触部と、ロープ接触部の一対の部分の一端側に設けられ、ロープ接触部の一対の部分をロープガイド穴の径方向に回動自在に連結する連結手段と、ロープ接触部の一対の部分の他端側に設けられ、ロープ接触部の一対の部分を一体化された状態に固定する固定手段とを備えたことを特徴としている。
【００２１】
また、第６の発明は、エレベータに用いられる複数本のメインロープやコンペンロープの端部にそれぞれ同軸状に取り付けられたロッド状の締結部材の近傍に設けられ、これらの締結部材を平行に保つため、又は複数本のメインロープやコンペンロープがシーブに導入される際にこれらのロープを平行に保つために設置されるエレベータ用ロープ固定部材を締結部材に対して所定位置に位置決めする方法であって、締結部材に紐状部材を取り付け、この紐状部材を介してエレベータ用ロープ固定部材を吊り下げ支持することを特徴としている。
【発明の効果】
【００２２】
本発明によれば、ロープ固定部材のサイズを小さくすることができるため、空気抵抗を少なくすることができる。また、本発明によれば、ロープ固定部材の部分で空気の流れに乱れが生じにくくなる。したがって、エレベータの走行に伴ってロープ固定部材が移動する際の風切り音が低減する。
【発明を実施するための最良の形態】
【００２３】
以下、本発明の一実施形態を図面に基づいて説明する。図１は本発明の第１の実施形態の平面図である。なお、本実施形態において、上述した従来例と同一又は類似の部分には同一の符号を用いており、重複する説明は省略してある。また、上述した従来例では、コンペンロープの乗りかご側に設けたロープ固定部材を例に挙げて説明したが、本発明は、コンペンロープの釣り合いおもり側に設けるロープ固定部材や、メインロープに設けるロープ固定部材に適用することも可能である。
【００２４】
図１に示すように、本実施形態のロープ固定部材２０では、ロープ接触部１６の外側に剛性の高い金属によって形成された一対の板状のフレーム２１がロープ接触部１６を挟み込むように配置されている。これらのフレーム２１は、ロープ接触部１６を挟圧した状態で複数本のボルト１７及び複数個のナット１８によって両端部が互いに締結固定されており、これによってロープ接触部１６と一体化された状態に固定されている。
【００２５】
図２は第１の実施形態の変形例である。このロープ固定部材２２では、各フレーム２１の両端部がＺ字状に折曲され、両端部が互いに突き合わされた状態でボルト１７及びナット１８により締結固定されており、ロープ接触部１６の周囲全体がフレーム２１によって覆われている。
【００２６】
図１、図２に示すロープ固定部材の構成によれば、フレーム２１によって強度が向上するため、フレーム２１を有していない場合に比べてサイズを小さくすることができ、空気抵抗を減らすことができる。
【００２７】
次に、本発明の第２の実施形態を説明する。図３は第２の実施形態の正面図、図４は側面図、図５は平面図である。なお、以下の各実施形態において、第１の実施形態と同一又は類似の部分には同一の符号を用いてあり、重複する説明は省略してある。
【００２８】
本実施形態のロープ固定部材２３では、ロープ接触部１６の下側の形状が断面三角形状で且つ下方向に向けて連続的に縮小している。このようにすると、エレベータの走行によりロープ固定部材２３が下方向に移動する際に、ロープ接触部１６に当たる空気がロープ接触部１６の横にスムーズに流れるため、空気の流れが乱れず、風切り音が低減する。
【００２９】
なお、本実施形態ではロープ固定部材２３を断面三角形状としているが、断面円形状や流線形状等、空気の流れをスムーズにする形状であれば同様の効果が期待できるのはいうまでもない。
【００３０】
また、本実施形態では、ロープ固定部材の形状を空気の流れをスムーズにする形状にしているが、これに代えて、空気の流れをスムーズにする形状の部材をロープ固定部材に取り付けるようにしても同様の効果が期待できる。
【００３１】
次に、本発明の第３の実施形態を説明する。図６は第３の実施形態の正面図、図７は側面図である。
【００３２】
本実施形態のロープ固定部材２４は、複数本のコンペンロープ８の端部にそれぞれ同軸状に取り付けられたシャックルロッド９を平行に保つための複数個のロープガイド穴２５ａを有する板状の第１のロープ固定部２５と、この第１のロープ固定部２５に対して下方に間隔をおいて配置され、複数本のコンペンロープ８がコンペンシーブに導入される際にコンペンロープ８を平行に保つための複数個のロープガイド穴２６ａを有する板状の第２のロープ固定部２６とを備えており、第１のロープ固定部２５と第２のロープ固定部２６は大きさが異なっている。
【００３３】
そして、第１のロープ固定部２５と第２のロープ固定部２６の間には角筒状のカバー２７が設けられている。このカバー２７は、第１のロープ固定部２５と第２のロープ固定部２６に固定されており、第１のロープ固定部２５の周囲と第２のロープ固定部２６の周囲の間に延びる複数の平坦な側面２７ａを有している。
【００３４】
本実施形態の構成によれば、第１のロープ固定部２５と第２のロープ固定部２６の間の空気の流通経路に凹凸が無くなるため、エレベータ走行時にこの部分で空気の流れに乱れが生じなくなり、風切り音が低減する。
【００３５】
次に、本発明の第４の実施形態を説明する。図８は第４の実施形態の正面図、図９は側面図である。
【００３６】
本実施形態のロープ固定部材２８は、上端側にシャックルロッド９を平行に保つための複数個のロープガイド穴２９ａを有する板状の第１のロープ固定部２９が設けられ、下端側に複数本のコンペンロープ８がコンペンシーブに導入される際にコンペンロープ８を平行に保つための複数個のロープガイド穴３０ａを有する板状の第２のロープ固定部３０が設けられ、第１のロープ固定部２９と第２のロープ固定部３０は大きさが異なっている。
【００３７】
そして、第１及び第２の固定部材２９、３０は、これらの間に設けられた整流部３１を介して相互に連結されて一体化されている。この整流部３１は、第１のロープ固定部２９の周囲と第２のロープ固定部３０の周囲の間に延びる複数の平坦な側面３１ａを有している。
【００３８】
本実施形態の構成によれば、第１のロープ固定部２９と第２のロープ固定部３０の間の空気の流通経路に凹凸が無くなるため、エレベータ走行時にこの部分で空気の流れに乱れが生じなくなり、風切り音が低減する。
【００３９】
次に、本発明の第５の実施形態を説明する。図１０は第５の実施形態の平面図、図１１は側面図である。
【００４０】
本実施形態のロープ固定部材３２では、ロープ接触部１６が複数個のロープガイド穴１６ａを径方向に横断する直線Ｌに沿って一対の部分１６ｂに分割されており、これらの部分１６ｂの一端側が蝶番３３で連結され、一対の部分１６ｂがロープガイド穴１６ａの径方向に回動自在となっている。また、一対の部分１６ｂの他端側はボルト１７とナット１８で締結固定され、これらの部分１６ｂが一体化された状態に固定されている。
【００４１】
本実施形態の構成によれば、両端をボルト１７とナット１８で固定する場合と比べ、蝶番３３を設けた側の突出部分が少なくなって小型化することができるため、風切り音が低減する。
【００４２】
また、ロープ８をロープガイド穴１６ａに通す場合には、ロープ接触部１６の各部分１６ａを回動させてロープ８を挟み込むようにするので、作業が容易であり、ボルト１７とナット１８で固定する箇所が一箇所少なくなるため、手間が低減し、作業性が向上する。
【００４３】
次に、本発明の第６の実施形態を説明する。図１２は本発明の第６の実施形態の正面図である。
【００４４】
図１４、図１５に示す従来例では、ロープ８に取り付けたＵ字状クリップ１９によりロープ固定部材１５の上下方向の位置決めを行っているが、この場合、ロープ径が大きくなるとクリップ１９も大きくなるため、ロープ８間の間隔を大きくとる必要があり、ロープ固定部材１５が大型化するという問題がある。
【００４５】
そこで、本実施形態では、図１２に示すように、シャックルロッド９に設けられた穴９ｂに紐状部材３４を通し、この紐状部材３４を介してロープ固定部材１５吊り下げ支持することによりロープ固定部材１５の上下方向の位置決めを行うようにしている。なお、３５は紐状部材３４の両端部を連結するクリップである。
【００４６】
本実施形態の構成によれば、ロープ８間の間隔を小さくすることができるため、ロープ固定部材１５を小さく構成することができ、風切り音を低減することができる。
【００４７】
以上、具体例を挙げて本発明の一実施形態について説明したが、本発明は上記実施形態に限定されるものではなく、本発明の要旨を逸脱しない範囲で上記実施形態に種々の改変を施すことができる。
【図面の簡単な説明】
【００４８】
【図１】第１の実施形態の平面図。
【図２】第１の実施形態の変形例の平面図。
【図３】第２の実施形態の正面図。
【図４】第２の実施形態の側面図。
【図５】第２の実施形態の平面図。
【図６】第３の実施形態の正面図。
【図７】第３の実施形態の側面図。
【図８】第４の実施形態の正面図。
【図９】第４の実施形態の側面図。
【図１０】第５の実施形態の平面図。
【図１１】第５の実施形態の側面図。
【図１２】第６の実施形態の正面図。
【図１３】一般的なエレベータの全体構成を概略的に示す図
【図１４】図１３のＸ部の拡大図。
【図１５】図１４の側面図。
【図１６】図１５のＹ方向矢視図。
【図１７】図１５のＺ方向矢視図。
【符号の説明】
【００４９】
４    メインロープ
７    コンペンシーブ
８    コンペンロープ
９    シャックルロッド（締結部材）
１６    ロープ接触部
１６ａ  ロープガイド穴
１７    ボルト（固定手段）
１８    ナット（固定手段）
２０、２２、２３、２４、２８、３２    ロープ固定部材
２１    フレーム
３３    蝶番（連結手段）
３４    紐状部材
【図１】
2006306556.tif 000003
【図２】
2006306556.tif 000004
【図３】
2006306556.tif 000005
【図４】
2006306556.tif 000006
【図５】
2006306556.tif 000007
【図６】
2006306556.tif 000008
【図７】
2006306556.tif 000009
【図８】
2006306556.tif 000010
【図９】
2006306556.tif 000011
【図１０】
2006306556.tif 000012
【図１１】
2006306556.tif 000013
【図１２】
2006306556.tif 000014
【図１３】
2006306556.tif 000015
【図１４】
2006306556.tif 000016
【図１５】
2006306556.tif 000017
【図１６】
2006306556.tif 000018
【図１７】
2006306556.tif 000019